(57)【要約】【課題】小さなサイズの枚葉紙であっても、左右幅方向での位置を揃えて良好な印刷が行える枚葉印刷機の給紙装置を提供することを課題とする。【解決手段】搬送されてきた第１枚葉紙を印刷装置へ受け渡す前に該第１枚葉紙の左右幅方向一端側に移動させて該第１枚葉紙の左右幅方向での位置を揃えるための横揃え体１，１を備え、前記横揃え体１，１が、第１枚葉紙の左右幅方向に移動可能に構成されている枚葉印刷機の給紙装置であって、前記第１枚葉紙よりも幅狭な第２枚葉紙１２が搬送される場合に、該第２枚葉紙１２に接当可能となる位置に配置されて該第２枚葉紙の左右幅方向での位置を揃えるための接当部材１３を備えさせた。【選択図】図３
2008030882.tif 000002
【特許請求の範囲】
【請求項１】
搬送されてきた第１枚葉紙を印刷装置へ受け渡す前に該第１枚葉紙の左右幅方向一端側に移動させて該第１枚葉紙の左右幅方向での位置を揃えるための横揃え体を備え、前記横揃え体が、第１枚葉紙の左右幅方向に移動可能に構成されている枚葉印刷機の給紙装置であって、
前記第１枚葉紙よりも幅狭な第２枚葉紙が搬送される場合に、該第２枚葉紙に接当可能となる位置に配置されて該第２枚葉紙の左右幅方向での位置を揃えるための接当部材を備え、前記接当部材が前記横揃え体に連結一体化されて該横揃え体と共に移動することにより、搬送される第２枚葉紙の左右幅方向の端に接当させて該第２枚葉紙の左右幅方向での位置を揃えることを特徴とする枚葉印刷機の給紙装置。
【請求項２】
前記接当部材が、前記横揃え体に着脱自在に構成されている請求項１記載の枚葉印刷機の給紙装置。
【請求項３】
前記横揃え体を第１枚葉紙の左右幅方向両側に備えさせ、両側に備えさせた前記横揃え体のそれぞれに固定部材を取り付け、前記２つの固定部材間に渡る長さを有する一直線状の棒体の一端部を該一方の固定部材に固定し、該一方の横揃え体の移動に伴って前記棒体の他端部を移動可能に貫通支持するためのガイド部を、前記他方の固定部材に備えさせている請求項１記載の枚葉印刷機の給紙装置。
【請求項４】
前記接当部材が、前記棒体にそれの長手方向に移動可能であり、前記接当部材を前記棒体に固定及び固定解除自在な固定具を備えさせている請求項３記載の枚葉印刷機の給紙装置。
【請求項５】
前記横揃え体の左右方向の位置を微調整する微調整機構を設けたことを特徴とする請求項１〜３のいずれかに記載の枚葉印刷機の給紙装置。
【請求項６】
前記微調整機構が、前記左右の横揃え体のうちの少なくとも一方に備えさせた螺子孔と、この螺子孔に螺合するとともに回転自在に備えられた螺子軸と、この螺子軸を回転操作することにより前記横揃え体を左右方向へ移動させるための回転操作部とを備えている請求項５記載の枚葉印刷機の給紙装置。
【発明の詳細な説明】
【技術分野】
【０００１】
本発明は、搬送されてきた枚葉紙を印刷装置へ受け渡す前に枚葉紙の左右幅方向一端側に移動させて枚葉紙の左右幅方向での位置を揃えるための横揃え体を備え、前記横揃え体が、枚葉紙の左右幅方向に移動可能に構成されている枚葉印刷機の給紙装置に関する。
【背景技術】
【０００２】
上記のように、搬送されてきた枚葉紙を印刷装置へ受け渡す前に枚葉紙の左右幅方向一端側に移動させて枚葉紙の左右幅方向での位置を揃えることが行われている。そして、このような構成としては、例えば吸着孔を備えた横送りシューを枚葉紙の左右幅方向両側に備えさせ、前記２つの横送りシューを同一方向へそれぞれ移動させるためのフォーク形レバー及びそれを駆動するためのステッピングモータを備えさせるとともに、前記横送りシューに吸引エアを送り込む吸引エア機構を備えさせ、２つのステッピングモータの駆動により、搬送されてきた枚葉紙を吸着している２つの横送りシューを同一方向へ移動させることで、枚葉紙の左右幅方向での位置を揃えるようにしている（例えば、特許文献１参照）。
【特許文献１】特開昭５９−１８６８４６号公報（図１及び図２参照）
【発明の開示】
【発明が解決しようとする課題】
【０００３】
前記印刷機は中判サイズから大判サイズの枚葉紙を印刷することができるように、前述した２つの横送りシュー間の距離を設定しているため、極端に小さなサイズの枚葉紙、例えば葉書や封筒などを印刷装置へ受け渡す場合には、２つの横送りシュー間の距離が大きすぎるため、小さなサイズの枚葉紙の左右幅方向での位置を揃えることができないものであった。そのため、枚葉紙の左右端を揃えた状態で印刷装置に受け渡すことができない枚葉紙も発生してしまい、良好な印刷を行うことができないことがあり、改善の余地があった。
【０００４】
本発明が前述の状況に鑑み、解決しようとするところは、小さなサイズの枚葉紙であっても、左右幅方向での位置を揃えて良好な印刷が行える枚葉印刷機の給紙装置を提供することを課題とする。
【課題を解決するための手段】
【０００５】
本発明の枚葉印刷機の給紙装置は、搬送されてきた第１枚葉紙を印刷装置へ受け渡す前に該第１枚葉紙の左右幅方向一端側に移動させて該第１枚葉紙の左右幅方向での位置を揃えるための横揃え体を備え、前記横揃え体が、第１枚葉紙の左右幅方向に移動可能に構成されている枚葉印刷機の給紙装置であって、前記第１枚葉紙よりも幅狭な第２枚葉紙が搬送される場合に、該第２枚葉紙に接当可能となる位置に配置されて該第２枚葉紙の左右幅方向での位置を揃えるための接当部材を備え，前記接当部材が前記横揃え体に連結一体化されて該横揃え体と共に移動することにより、搬送される第２枚葉紙の左右幅方向の端に接当させて該第２枚葉紙の左右幅方向での位置を揃えることを特徴としている。
従って、枚葉紙よりも幅狭な第２枚葉紙が搬送される場合に、第２枚葉紙が接当可能となる位置に設けられた接当部材が横揃え体と共に移動することによって、接当部材が第２枚葉紙の左右幅方向の端に接当し、第２枚葉紙が左右幅方向で移動することで、第２枚葉紙の左右幅方向での位置を揃えることができるのである。
【０００６】
前記接当部材を、前記横揃え体に着脱自在に構成してもよい。
【０００７】
前記横揃え体を第１枚葉紙の左右幅方向両側に備えさせ、両側に備えさせた前記横揃え体のそれぞれに固定部材を取り付け、前記２つの固定部材間に渡る長さを有する一直線状の棒体の一端部を該一方の固定部材に固定し、該一方の横揃え体の移動に伴って前記棒体の他端部を移動可能に貫通支持するためのガイド部を、前記他方の固定部材に備えさせてもよい。
【０００８】
前記接当部材が、前記棒体にそれの長手方向に移動可能であり、前記接当部材を前記棒体に固定及び固定解除自在な固定具を備えさせてもよい。
【０００９】
前記横揃え体の左右方向の位置を微調整する微調整機構を設けてもよい。
【００１０】
前記微調整機構が、前記左右の横揃え体のうちの少なくとも一方に備えさせた螺子孔と、この螺子孔に螺合するとともに回転自在に備えられた螺子軸と、この螺子軸を回転操作することにより前記横揃え体を左右方向へ移動させるための回転操作部とを備えてもよい。
【発明の効果】
【００１１】
小さなサイズの枚葉紙、つまり第１枚葉紙よりも幅狭な第２枚葉紙であっても、第２枚葉紙に接当可能となる位置に接当部材が設けられていることから、その接当部材が横揃え体と共に移動して、第２枚葉紙の左右幅方向での位置を確実に揃えることができ、良好な印刷が行える枚葉印刷機の給紙装置を提供することができる。しかも、接当部材が横揃え体と共に移動する構成であるから、接当部材に対する特別な駆動機構を不要にすることができ、給紙装置全体の構成が複雑になることを抑制することができる。又、横揃え体を１つ設ける場合には、２つ設ける場合に比べて、給紙装置全体の構成の簡素化を図ることができる。又、横揃え体を２つ設ける場合には、第１枚葉紙を左右のいずれの方向へも揃えることができ、設計の自由度を高めることができる。更に、前記横揃え体に吸引エアを供給して第１枚葉紙を吸着して移動させる構成である場合に、２つの横揃え体のうちの一方の横揃え体にのみ吸引エアを供給する構成にすることによって、２つの横揃え体の両方に吸引エアを供給する構成に比べて、吸引エア供給装置の小型化を図ることができ、装置の大型化を抑制することができる。
【００１２】
前記接当部材を、前記横揃え体に着脱自在に構成する場合には、第２枚葉紙を搬送しないときに、接当部材を取り外しておくことができるだけでなく、必要なときだけ、取り付ける構成の方が、例えば接当部材を邪魔にならない位置へ退避させる機構を備えさせる場合に比べて、構成の簡素化及びコストの低減化を図ることができる。
【００１３】
前記横揃え体を第１枚葉紙の左右幅方向両側に備えさせ、両側に備えさせた前記横揃え体のそれぞれに固定部材を取り付け、前記２つの固定部材間に渡る長さを有する一直線状の棒体の一端部を該一方の固定部材に固定し、該一方の横揃え体の移動に伴って前記棒体の他端部を移動可能に貫通支持するためのガイド部を、前記他方の固定部材に備えさせている場合には、横揃え体とともに左右に移動する棒体の両端のうちのフリーとなっている他端部をガイド部にて移動案内することができるから、片持ち支持する構成に比べて、接当部材をガタツキなく安定よく移動させることができ、第２枚葉紙の左右幅方向での位置を良好に揃えることができる。
【００１４】
前記接当部材が、前記棒体にそれの長手方向に移動可能であり、前記接当部材を前記棒体に固定及び固定解除自在な固定具を備えさせている場合には、左右方向での接当部材の位置を変更することができ、大きさの異なる第２枚葉紙にも対応することができ、商品価値の高いものにすることができる。
【００１５】
前記横揃え体の左右方向の位置を微調整する微調整機構を設けている場合には、第１枚葉紙の左右幅方向での位置を微調整することができるだけでなく、第２枚葉紙の左右幅方向での位置を揃えるための接当部材の左右位置も同時に微調整することができる。
前記微調整機構が、前記左右の横揃え体のうちの少なくとも一方に備えさせた螺子孔と、この螺子孔に螺合するとともに回転自在に備えられた螺子軸と、この螺子軸を回転操作することにより前記横揃え体を左右方向へ移動させるための回転操作部とを備えている場合には、回転操作部を回転操作するだけで、横揃え体の左右方向での位置を微調整することができる。
【発明を実施するための最良の形態】
【００１６】
図１（ａ），（ｂ）及び図２（ａ），（ｂ）に、枚葉印刷機の印刷装置（図示せず）に受け渡す直前に枚葉紙２の左右幅方向での位置を揃えるための左右一対の横揃え体１，１を備えられている。前記横揃え体１，１は、給紙装置の搬送方向（図１の矢印方向）終端側に備えており、ここでは、横揃え体１，１に関連する部材を図示して説明していくことにする。図では、横揃え体１を２つ設けた場合を示しているが、左側又は右側のうちの１方側のみ横揃え体１を設けて、第１枚葉紙２の左右幅方向での位置を揃えることができる構成であってもよい。又、図１（ａ），（ｂ）及び図２（ａ），（ｂ）の枚葉紙２は、縦寸法（搬送される長さ寸法）が４６０ｍｍ前後で横寸法（左右幅寸法）が３４０ｍｍ前後の大型サイズの枚葉紙（以下、第１枚葉紙という）を搬送する場合を示しているが、枚葉紙のサイズはどのようなサイズであってもよい。
【００１７】
前記２つの横揃え体１，１は、第１枚葉紙２の左右幅方向に接近離間するように移動可能に構成されるとともに、該第１枚葉紙の下面を吸着可能な多数の吸着孔５Ａを備えており、前記一方（図１では搬送方向に向いて左側）の横揃え体１のみに吸引エアを吸引装置３（図３参照）を介して供給することにより、該第１枚葉紙２の左右幅方向での位置を揃えるように構成されている。具体的には、前記左右一対の横揃え体１，１は、同一構成であるため、一方の横揃え体１について説明すれば、図５に示すように、吸引エアを受け入れるためのエア室４Ａが内側に形成された長方形で環状に形成された枠部材４と、この枠部材４の上端開口部を閉じるとともに第１枚葉紙の下面を吸着可能な多数の吸着孔５Ａが中心部に形成された長方形の板状部材（吸着部）５と、これら両部材４，５を上下方向で連結して一体化するための２本のボルト６，６とから、横揃え体１を構成しているが、１つの部材から横揃え体１を構成してもよく、横揃え体１の構成は自由に変更可能である。尚、前記ボルト６，６は、板状部材５に形成の貫通孔５Ｂ，５Ｂを貫通して枠部材４に形成の螺子孔４Ｂ，４Ｂにねじ込むことができるように構成されている。図５に示す５Ｃは、後述する頭付きボルト１８を貫通させる貫通孔であり、この貫通孔５Ｃを貫通した頭付きボルト１８を、枠部材４に形成の螺子孔４Ｃにねじ込むことにより、後述する固定部材１４と前記横揃え体１とを一体化することができるようにしている。ここでは、前記横揃え体１，１にて第１枚葉紙の下面を吸着して第１枚葉紙の左右幅方向での位置を揃えるようにしているが、横揃え体にて第１枚葉紙の左右端を接当させることにより、第１枚葉紙の左右幅方向での位置を揃えるようにしてもよい。
【００１８】
前記のように構成された横揃え体１は、図３（ｂ）及び図４（ｂ）に示すように、枚葉印刷機の固定部材側に固定された支持部材７に形成された第１枚葉紙２の左右幅方向に長い案内用凹部７Ａに入り込ませている。前記横揃え体１の下面には、前記吸引装置３からの吸引エアを案内するための案内用ホース８の先端が接続されるエア吸引口９Ａが形成されたブロック９が連結固定（前記ボルト６により固定してもよい）されており、吸引装置３からの吸引エアを案内用ホース８、ブロック９、エア室４Ａを介して吸着孔５Ａに吸引エアを供給することによって、搬送されてきた第１枚葉紙２の下面を板状部材５に吸着させることができるようになっている。図３（ｂ）及び図４（ｂ）では、一方のブロック９にのみ吸引装置３が案内用ホース８を介して供給するようになっているが、他方のブロック９にもホース（図示せず）を接続し、両ブロックからの２本のホースと吸引装置３との間に切り替えバルブを設けて、切り替えバルブを切り替えることによって、一方のブロック９（図では左側のブロック９）にのみ吸引エアを供給するように構成してもよい。
【００１９】
そして、前記ブロック９の下面に、下方に突出して設けられたベアリング９Ｂを備えてあり、このベアリング９Ｂに係合するカム溝１０Ｍが外面に周方向に沿って左右方向に蛇行する状態で形成された円環状のカム１０を、印刷装置側の給紙胴（図示せず）の回転と同期して回転するシャフト１１に一体回転する状態で外嵌着している。従って、シャフト１１が回転することにより、カム１０が回転し、カム１０のカム溝１０Ｍにベアリング９Ｂが追従して左右に移動することで、ブロック９を介して横揃え体１を左右に移動させることができるようになっている。そして、前記左右に位置するカム１０，１０のカム溝１０Ｍ，１０Ｍが左右方向で互いに反対方向となるように左右のカム１０，１０を前記シャフト１１に取り付けることによって、図３（ａ），（ｂ）に示すように、左右の横揃え体１，１が互いに接近した位置と、図４（ａ），（ｂ）に示すように、左右の横揃え体１，１が互いに離間した位置とで移動することができるようになっている。前記横揃え体１を移動させる具体的構成は、図に示されるものに限定されるものではない。
【００２０】
前記支持部材７，７の第１枚葉紙２の搬送幅方向外方側端に、上方に突出する縦壁部７ａをそれぞれ備えさせ、縦壁部７ａ，７ａの第１枚葉紙２の搬送方向前後２箇所に、搬送幅方向の中心部側（内側）に突出する突出部７ｂ，７ｂをそれぞれ備えさせて、前記横揃え体１にて左右に移動される第１枚葉紙の端に接当して第１枚葉紙２を受け止めて位置決めする受止部を構成しているが、受止部を支持部材７，７とは別の部材にて構成してもよい。
【００２１】
次に、前記第１枚葉紙２よりも幅狭な第２枚葉紙１２、例えば葉書や封筒を位置決めしながら搬送する場合について説明する。第２枚葉紙１２は、該第２枚葉紙１２に接当可能となる位置に配置されて該第２枚葉紙１２の左右幅方向での位置を揃えるための接当部材１３を備え、前記接当部材１３が前記２つの横揃え体１，１のうちの一方に着脱自在に連結一体化されて該横揃え体１と共に移動することにより、搬送される第２枚葉紙１２の左右幅方向の端に接当させて該第２枚葉紙１２の左右幅方向での位置を揃えるようにしている。
【００２２】
前記接当部材１３は、搬送幅方向から第２枚葉紙１２の端に接当するための扁平な接当面１３Ａを備えた矩形状の板状体からなり、図３（ａ），（ｂ）及び図４（ａ），（ｂ）に示すように、前記横揃え体１，１に取り付けられた直方体の固定部材１４，１４間に架設された一直線状で断面形状が円形（角形や楕円形等どのような形状であってもよい）の棒体１５が長手方向に貫通した状態で取り付けられている。前記固定部材１４は、前記板状部材５の上面を覆うことができるようにほぼ同一の大きさの底面を有する直方体形状からなり、前記棒体１５を貫通する貫通孔１４Ａを備えている。又、前記一方の固定部材１４に、該固定部材１４に形成の貫通孔１４Ａに上方から貫通する縦向きに形成された一対の螺子孔１４Ｂ，１４Ｂを備えさせ、これら螺子孔１４Ｂ，１４Ｂに六角穴付き止めねじ１６をねじ込んでいき、棒体１５に形成した全周に形成の一対の溝部１５Ｍ，１５Ｍに当て付けることによって、前記棒体１５の一端部を該一方の固定部材１４に固定するようにしている。又、前記他方の固定部材１４の貫通孔１４Ａは、前記一方の固定部材１４の貫通孔１４Ａよりも大径に構成するとともに、その大径な貫通孔１４Ａに前記一方（図では右側）の横揃え体１の移動に伴って前記棒体の他端部を移動可能に貫通支持するための一対のブッシュ１７，１７を備えさせて、移動抵抗の少ないガイド部を構成している。図３（ａ），（ｂ）及び図４（ａ），（ｂ）に示す１８は、前記横揃え体１に前記固定部材１４を連結固定するための頭付きボルトである。前記棒体１５を２つの固定部材１４，１４間に渡るようにすることによって、棒体１５を安定よく搬送幅方向へ移動させることができる利点があるが、棒体１５を一方の固定部材１４に片持ち状に支持させて実施することもできる。又、一直線状の棒体１５を用いることによって、第１枚葉紙２及び第２枚葉紙１２の搬送方向の位置合わせ位置をいずれも同一位置にしているが、図示していないが、屈曲した棒体や湾曲した棒体を用いることによって、第１枚葉紙２の位置合わせ位置に対して第２枚葉紙１２の位置合わせ位置を搬送方向でずらした位置に設定して実施することも可能である。
【００２３】
図３（ａ），（ｂ）及び図４（ａ），（ｂ）に示すように、前記接当部材１３が、前記棒体１５にそれの長手方向に移動可能に前記棒体１５に支持されており、前記接当部材１３を前記棒体１５に固定及び固定解除自在な固定具１９を備えさせて、第２枚葉紙１２の左右幅の大きさに合わせて接当部材１３の位置を変更することができるようになっている。詳述すれば、前記断面形状が円形の棒体１５の一端側（図では左側）の上部を水平方向に切り欠いて平坦面１５Ａを形成し、前記接当部材１３にそれの板厚方向に形成の貫通孔１３Ｂに対して上方から貫通する螺子孔１３Ｃを形成し、この螺子孔１３Ｃに前記固定具１９を構成する回転摘み１９Ａを回転することによって、それの下端に備えた螺子部１９Ｂをそれの先端が棒体１５の平坦面１５Ａに接当する位置までねじ込むことで、接当部材１３をその位置にて固定することができるようになっている。尚、接当部材１３の位置を変更する場合には、回転摘み１９Ａを前記回転方向とは反対方向の緩める方向に回転させて、螺子部１９Ｂの先端を平坦面１５Ａから上方へ浮いた固定解除位置まで移動させてから、接当部材１３を棒体１５の長手方向に移動させて棒体１５に対する位置を変更し、この変更後、回転摘み１９Ａを締め付ける方向に回転することによって、前記のように螺子部１９Ｂの先端が棒体１５の平坦面１５Ａに接当する位置までねじ込んで、接当部材１３をその位置にて固定することになる。
【００２４】
前記接当部材１３により接当させて移動される第２枚葉紙１２の左右幅方向他端に接当して該第２枚葉紙１２を受け止めるための接当部材用の受止部２０を備えている。この受止部２０の長手方向の一端が、一方（図では右側）の支持部材７から頭付きボルト２６にて一端が連結されたＬ字状で板状の取付部材２１の他端に２個のビス２２にて固定されている。そして、前記受止部２０が、板バネから構成されるとともに、第２枚葉紙１２の搬送方向下手側ほど該接当部材側へ突出するテーパー面２０Ａと、このテーパー面２０Ａの搬送方向終端から円弧状に湾曲した接当部２０Ｂとを備えて、接当部２０Ｂに受止部２０の弾性力を利用して第２枚葉紙１２を受け止めることができるようにしながらも、受止部２０側へ位置ずれして搬送されてきた第２枚葉紙１２の受止部２０側端をテーパー面２０Ａにて接当部材１３側へ押し戻すことができるようになっている。図３（ｂ）及び図４（ｂ）に示す２３，２４は、図示していない搬送装置により搬送されてくる枚葉紙２，１２を下面から支持するための受部材である。ここでは、前記受止部２０を搬送方向に向かって右側に配置し、かつ、前記接当部材１３を搬送方向に向かって左側に配置したが、これとは反対に、受止部２０を搬送方向に向かって左側に配置し、かつ、接当部材１３を搬送方向に向かって右側に配置して実施することもできる。
【００２５】
第１枚葉紙２を搬送する場合には、前記接当部材１３を取り外すことができ、又、第２枚葉紙１２を搬送する場合には、前記接当部材１３を取り付けることができるように、前記接当部材１３を、前記横揃え体１，１に対して着脱自在に構成している。つまり、横揃え体１，１に対して固定部材１４，１４を取り付ける、又は取り外すことによって、接当部材１３を横揃え体１，１に対して着脱することができるようになっている。この場合、受止部２０も同様にブロック９に取り付る、又は取り外すことになるが、受止部２０を省略して実施してもよい。また、第１枚葉紙２を搬送する場合に、第１枚葉紙２の搬送に支障とならないように、接当部材１３を上方の退避位置に位置させることができるように接当部材１３に対する位置変更手段（図示せず）を設けて実施してもよい。前記固定部材１４，１４は、直方体からなっているが、板状のものから形成してもよく、固定部材１４，１４の形状は自由に変更可能である。
【００２６】
前記構成の給紙装置を用いて第１枚葉紙２及び第２枚葉紙１２を位置合わせしながら搬送する場合について説明する。まず、第１枚葉紙２を搬送する場合には、給紙装置の搬送台（図示せず）に備えられた前当て２５にて搬送された第１枚葉紙２がその前端を位置決めされ、図１（ａ），（ｂ）に示すように、横揃え体１，１が搬送幅方向内側の位置から外側に移動し、吸引エアが供給されている左側の横揃え体１に第１枚葉紙２が吸引されたまま左側へ移動され、突出部７ｂ，７ｂに接当して、その突出部７ｂ，７ｂの位置に第１枚葉紙２が揃えられる（図２（ａ），（ｂ）参照）。このとき、図示していない複数組の爪が、揃えられた第１枚葉紙２の先端を掴んで給紙胴（図示せず）へ受け渡すことになる。前記のように横揃え体１，１を左右方向で接近離間移動させる構成とすることによって、例えば左右方向の外側（内側でもよい）に横揃え体１，１が移動した時点で第１枚葉紙２の先端（第２枚葉紙１２も同様）を、一対の爪にて掴むように機械的に連動させておけば、左右どちら側へ位置合わせを行う場合でも、連動させる構成を変更することなく、吸引エアを供給する側を変更するだけで済ませることができる。
【００２７】
次に、第２枚葉紙１２を搬送する場合には、前述のように接当部材１３を取り付けてから、搬送を開始し、給紙装置の搬送台（図示せず）に備えられた前当て２５にて搬送された第２枚葉紙１２がその前端を位置決めされ、図３（ａ），（ｂ）に示すように、横揃え体１，１が搬送幅方向内側の位置から外側に移動することによって、接当部材１３が右側へ移動して、第２枚葉紙１２の左側端を押す。そして、移動する第２枚葉紙１２の右側端を受止部２０にて弾性的に受け止めて第２枚葉紙１２が揃えられる（図４（ａ），（ｂ）参照）。このとき、図示していない複数組の爪が、揃えられた第２枚葉紙１２の先端を掴んで給紙胴（図示せず）へ受け渡すことになる。尚、前記第２枚葉紙１２の搬送が終了してから、第１枚葉紙２の搬送を行う場合には、前記接当部材１３を取り外すことになる。
【００２８】
図６（ａ），（ｂ）及び図７（ａ），（ｂ）に、前記左右の横揃え体１，１のそれぞれに、それらの左右方向の位置を微調整する微調整機構２７を設けている。この微調整機構２７は、第１枚葉紙２の左右幅方向での位置を微調整することができるだけでなく、第２枚葉紙１２の左右幅方向での位置を揃えるための接当部材１３の左右位置も同時に微調整することができる。
前記微調整機構２７が、前記左右の横揃え体１，１の支持部材７，７の上端に枚葉紙の搬送幅方向と同一方向に形成された螺子孔７Ｎ，７Ｎと、この螺子孔７Ｎ，７Ｎに螺合するとともに回転自在に備えられた螺子軸２８，２８と、この螺子軸２８，２８を回転操作することにより前記横揃え体１，１をそれぞれ左右方向へ移動させるための回転操作部としての回転ハンドル２９，２９とを備えている。従って、回転ハンドル２９，２９を回転操作するだけで、左右の横揃え体１，１の左右方向での位置を微調整することができる。前記各螺子軸２８は、前記螺子孔７Ｎに螺合する螺子部と、この螺子部から枚葉紙の搬送幅方向外側へ延びる丸棒状の延出部２８Ａを備え、この延出部２８Ａの螺子部側に回転ハンドル２９を螺子軸２８に一体回転する状態で外嵌し、その回転ハンドル２９から螺子部とは反対側の延出部２８Ａが、図示していない本体給紙部に固定されたブロック３０の上端に形成の貫通孔に挿入された状態で支持されている。前記ブロック３０の下端はベアリング３１、円筒状カラー３２を介して前記シャフト１１に支持されている。尚、図６及び図７では、前記微調整機構２７を備えさせた関係上、図４で示した取付部材２１の位置を枚葉紙の搬送方向下手側から上手側へ移動させている点や、支持部材７の下端を二股状にして、シャフト１１にそれら二股状部分を貫通支持させている点などを変更している。又、前記吸引装置３を省略している以外は、図４と同一構成であるため、同一の符号を付すとともに説明を省略している。ここでは、手動操作により左右の横揃え体１，１の左右方向での位置を微調整できるようにしているが、電動モータなどのアクチュエータにて左右の横揃え体１，１を左右方向へ移動させるように構成してもよい。又、左右両方の横揃え体１，１の左右方向での位置を微調整することができるように構成しているが、一方の横揃え体１のみ左右方向での位置を微調整することができるように構成してもよい。
【図面の簡単な説明】
【００２９】
【図１】第１枚葉紙を搬送する枚葉印刷機の給紙装置の概略図を示し、（ａ）はそれの平面図、（ｂ）はそれの縦断側面図である。
【図２】図１で示した第１枚葉紙を左側（矢印Ａ方向）へ移動させて位置合わせした状態を示し、（ａ）はそれの平面図、（ｂ）はそれの縦断側面図である。
【図３】第２枚葉紙を搬送する枚葉印刷機の給紙装置の概略図を示し、（ａ）はそれの平面図、（ｂ）はそれの縦断側面図である。
【図４】図３で示した第２枚葉紙を右側（矢印Ｂ方向）へ移動させて位置合わせした状態を示し、（ａ）はそれの平面図、（ｂ）はそれの縦断側面図である。
【図５】横揃え体の分解斜視図である。
【図６】微調整機構を加えた別の枚葉印刷機の給紙装置の概略図を示し、（ａ）はそれの平面図、（ｂ）はそれの縦断側面図である。
【図７】図６で示した第２枚葉紙を右側へ移動させて位置合わせした状態を示し、（ａ）はそれの平面図、（ｂ）はそれの縦断側面図である。
【符号の説明】
【００３０】
１…横揃え体、２，１２…枚葉紙、３…吸引装置、４…枠部材、４Ａ…エア室、４Ｂ，４Ｃ…螺子孔、５…板状部材、５Ａ…吸着孔、５Ｂ，５Ｃ…貫通孔、６…ボルト、７…支持部材、７Ａ…案内用凹部、７ａ…縦壁部、７ｂ…突出部（受止部）、７Ｎ…螺子孔、８…案内用ホース、９…ブロック、９Ａ…エア吸引口、９Ｂ…ベアリング、１０…カム、１０Ｍ…カム溝、１１…シャフト、１３…接当部材、１３Ａ…接当面、１３Ｂ…貫通孔、１３Ｃ…螺子孔、１４…固定部材、１４Ａ…貫通孔、１４Ｂ…螺子孔、１５…棒体、１５Ａ…平坦面、１５Ｂ…貫通孔、１６…六角穴付き止めねじ、１７…ブッシュ、１８，２６…頭付きボルト、１９…固定具、１９Ａ…回転摘み、１９Ｂ…螺子部、２０…受止部、２０Ａ…テーパー面、２０Ｂ…接当部、２１…取付部材、２２…ビス、２３，２４…受部材、２５…前当て、２７…微調整機構、２８…螺子軸、２８Ａ…延出部、２９…回転ハンドル（回転操作部）、３０…ブロック、３１…ベアリング、３２…円筒状カラー
【図１】
2008030882.tif 000003
【図２】
2008030882.tif 000004
【図３】
2008030882.tif 000005
【図４】
2008030882.tif 000006
【図５】
2008030882.tif 000007
【図６】
2008030882.tif 000008
【図７】
2008030882.tif 000009